(57)【要約】【課題】ビデオスプリッタやＶＧＡキャプチャカードなどのハードウェアを用いることなく、画面情報を記憶することが可能なネットワークシステムを提供する。【解決手段】イントラネット１０上に存在する仮想アプリケーションサーバ１４と、イントラネット１０上に存在し、仮想アプリケーションサーバ１４にインストールされたアプリケーションを実行するための指令を出すのに用いられる入力Ｉ／Ｆ及びこの指令に応じて仮想アプリケーションサーバ１４上で実行されるアプリケーションを画面に表示する出力部（ディスプレイやプロジェクタ）と、を有するプレゼン用端末１６と、出力部の画面情報を仮想アプリケーションサーバ１４から読み出して記憶する記憶・配信サーバ２２と、を備える。【選択図】図１
2009026096.tif 000002
【特許請求の範囲】
【請求項１】
ネットワーク上に存在するアプリケーションサーバと、
前記ネットワーク上に存在し、前記アプリケーションサーバにインストールされたアプリケーションを実行するための指令を出すのに用いられる入力部と、該指令に応じて前記アプリケーションサーバ上で実行されるアプリケーションを画面に表示する出力部と、を有する端末装置と、
前記出力部の画面情報を前記アプリケーションサーバから読み出して記憶する記憶装置と、を備えるネットワークシステム。
【請求項２】
前記アプリケーションサーバは、前記出力部に対し、前記入力部からの指令に応じた前記画面の更新情報を送ることを特徴とする請求項１に記載のネットワークシステム。
【請求項３】
前記記憶装置は、ユーザから発せられる音声に基づく音声データを取得し、前記出力部の画面情報と関連付けて記憶することを特徴とする請求項１又は２に記載のネットワークシステム。
【請求項４】
前記アプリケーションサーバは、前記出力部の画面情報に一定以上の変化があった場合に、前記画面情報を区切り、該区切られた情報を前記記憶装置に送ることを特徴とする請求項１〜３のいずれか一項に記載のネットワークシステム。
【請求項５】
前記アプリケーションサーバは、前記区切られた情報と、前記変化前までの前記出力部の画面状態をキャプチャした画像と、を関連付けて前記記憶装置に送ることを特徴とする請求項４に記載のネットワークシステム。
【請求項６】
前記アプリケーションサーバは、前記ユーザが、前記端末装置を前記アプリケーションサーバに接続する際に、前記ユーザのログイン情報の入力を要求し、
前記記憶装置は、前記出力部の画面情報を、前記ログイン情報と関連付けて記憶することを特徴とする請求項１〜５のいずれか一項に記載のネットワークシステム。
【請求項７】
前記記憶装置は、前記端末装置の前記入力部からの入力情報を記憶することを特徴とする請求項１〜６のいずれか一項に記載のネットワークシステム。
【請求項８】
前記記憶装置は、ウェブサーバ機能を有しており、
前記ネットワーク上に存在する閲覧端末からウェブブラウザを介して、前記記憶装置に記憶された情報をユーザが閲覧可能であることを特徴とする請求項１〜７のいずれか一項に記載のネットワークシステム。
【請求項９】
前記記憶装置が第１のネットワーク上に存在するとともに、前記閲覧端末が前記第１のネットワークと接続された第２のネットワーク上に存在し、
前記第１のネットワークと前記第２のネットワークとの間には、セキュリティゲートウェイが設けられていることを特徴とする請求項１〜８のいずれか一項に記載のネットワークシステム。
【請求項１０】
前記記憶装置は、該記憶装置が記憶している前記出力部の画面情報に含まれる文字情報を、前記アプリケーションサーバから取得して記憶することを特徴とする請求項１〜９のいずれか一項に記載のネットワークシステム。
【請求項１１】
前記閲覧端末には、前記記憶装置内の前記文字情報を検索する検索手段が設けられていることを特徴とする請求項１０に記載のネットワークシステム。
【請求項１２】
前記出力部は、プロジェクタであることを特徴とする請求項１〜１１のいずれか一項に記載のネットワークシステム。
【発明の詳細な説明】
【技術分野】
【０００１】
本発明はネットワークシステムに関し、特に会議や講演会等で用いて好適なネットワークシステムに関する。
【背景技術】
【０００２】
現代のビジネス環境においては、情報の転送と交換に、より重きが置かれるようになっている。現在、コンピュータプレゼンテーションソフトウェアを用いたスライドによるプレゼンテーション、ウェブによるプレゼンテーション、ビデオプレゼンテーションなどが現代ビジネス環境の中心をなしている。
【０００３】
しかるに、情報を他人に提示することは表面上有効であることが多い反面、このようなソフトウェアには厳しい制限が設けられている。本出願人は、これを解決するための技術として、プレゼンテーションビデオの抽出、分類、保存、及び補充を可能にするシステム等の提案を行っている（例えば、特許文献１参照）。
【０００４】
【特許文献１】特開２００６−１２７５１８号公報
【発明の開示】
【発明が解決しようとする課題】
【０００５】
しかしながら、特許文献１のシステムでは、コンピュータシステムからの出力ビデオ信号をメディアシステムと表示装置に分配するためのビデオスプリッタが個別に必要であるため、複数のユーザでこのシステムを用いる場合には、ビデオスプリッタを別のコンピュータシステムに繋ぎ変える必要があり、手間がかかる。
【０００６】
また、メディアシステムでは、例えば、コンピュータシステムから入力される画像をキャプチャして、画像ファイルとして保存する必要があるため、ＶＧＡ（Video Graphics Array）キャプチャカードなどの特別なハードウェア等を別途用意する必要がある。
【０００７】
そこで本発明は上記の課題に鑑みてなされたものであり、ビデオスプリッタやＶＧＡキャプチャカードなどのハードウェアを用いることなく、画面情報を記憶することが可能なネットワークシステムを提供することを目的とする。
【課題を解決するための手段】
【０００８】
上記課題を解決するために、本発明のネットワークシステムは、ネットワーク上に存在するアプリケーションサーバと、前記ネットワーク上に存在し、前記アプリケーションサーバにインストールされたアプリケーションを実行するための指令を出すのに用いられる入力部と、該指令に応じて前記アプリケーションサーバ上で実行されるアプリケーションを画面に表示する出力部と、を有する端末装置と、前記出力部の画面情報を前記アプリケーションサーバから読み出して記憶する記憶装置と、を備えることを特徴とする。
【０００９】
これによれば、端末装置の入力部からの指令に応じてアプリケーションサーバにて実行されるアプリケーションが、端末装置の出力部の画面に表示されるとともに、出力部の画面情報を、記憶装置が直接アプリケーションサーバから読み出して記憶するので、ビデオスプリッタや、ＶＧＡキャプチャカードなどのハードウェアを用いることなく、出力部の画面情報を記憶装置に記憶することが可能である。
【００１０】
この場合において、前記アプリケーションサーバは、前記出力部に対し、前記入力部からの指令に応じた前記画面の更新情報を送ることとすることができる。かかる場合には、ユーザは、画面の更新情報を見ながら、双方向的に（インタラクティブに）アプリケーションを操作することが可能となる。
【００１１】
また、本発明のネットワークシステムでは、前記記憶装置は、ユーザから発せられる音声に基づく音声データを取得し、前記出力部の画面情報と関連付けて記憶することとすることができる。かかる場合には、講演やプレゼンテーションにおいて講演者等が表示させた画面と、その画面が表示されていたときに発した音声とを関連付けて記憶するため、後からこれらの情報にアクセスした場合であっても、実際に行われた講演等と同じものを視聴することが可能となる。
【００１２】
また、本発明のネットワークシステムでは、前記アプリケーションサーバは、前記出力部の画面情報に一定以上の変化があった場合に、前記画面情報を区切り、該区切られた情報を前記記憶装置に送ることとすることができる。かかる場合には、ほぼ同じ画面状態にある間の情報をアプリケーションサーバにおいてまとめるので、当該機能を記憶装置に持たせなくても済む。
【００１３】
この場合において、前記アプリケーションサーバは、前記区切られた情報と、前記変化前までの前記出力部の画面状態をキャプチャした画像と、を関連付けて前記記憶装置に送ることとすることができる。かかる場合には、ユーザは、キャプチャした画像に基づいて情報にアクセスすることができるので、情報に対するアクセスを容易に行うことが可能となる。
【００１４】
本発明のネットワークシステムでは、前記アプリケーションサーバは、前記ユーザが、前記端末装置を前記アプリケーションサーバに接続する際に、前記ユーザのログイン情報の入力を要求し、前記記憶装置は、前記出力部の画面情報を、前記ログイン情報と関連付けて記憶することとすることができる。かかる場合には、画面情報をユーザごとに管理することが可能となる。
【００１５】
また、本発明のネットワークシステムでは、前記記憶装置は、前記端末装置の前記入力部からの入力情報を記憶することとすることができる。
【００１６】
また、本発明のネットワークシステムでは、前記記憶装置は、ウェブサーバ機能を有しており、前記ネットワーク上に存在する閲覧端末からウェブブラウザを介して、前記記憶装置に記憶された情報をユーザが閲覧可能であることとすることができる。かかる場合には、ユーザは、イントラネットやインターネット上から、記憶装置に記憶された情報を閲覧することが可能となる。
【００１７】
また、本発明のネットワークシステムでは、前記記憶装置が第１のネットワーク上に存在するとともに、前記閲覧端末が前記第１のネットワークと接続された第２のネットワーク上に存在し、前記第１のネットワークと前記第２のネットワークとの間には、セキュリティゲートウェイが設けられていることとすることができる。かかる場合には、第２のネットワーク上からのアクセスがセキュリティゲートウェイにより制限されるので、不正アクセス等を抑制することが可能となる。
【００１８】
また、本発明のネットワークシステムでは、前記記憶装置は、該記憶装置が記憶している前記出力部の画面情報に含まれる文字情報を、前記アプリケーションサーバから取得して記憶することとすることができる。かかる場合には、従来のように、キャプチャした画像ファイルからＯＣＲ（Optical Character Reader）などを用いて文字情報を取得するよりも、正確な文字情報の取得が可能となる。
【００１９】
この場合において、前記閲覧端末には、前記記憶装置内の前記文字情報を検索する検索手段が設けられていることとすることができる。かかる場合には、画面情報の内容をキーワード等で検索することができるので、閲覧端末を操作するユーザの利便性を向上させることが可能となる。
【００２０】
本発明のネットワークシステムでは、前記出力部は、プロジェクタであることとすることができる。
【発明の効果】
【００２１】
本発明によれば、ビデオスプリッタやＶＧＡキャプチャカードなどのハードウェアを用いることなく、画面情報を記憶することが可能なネットワークシステムを提供することができる。
【発明を実施するための最良の形態】
【００２２】
以下、本発明を実施するための最良の形態を図１〜図７に基づいて詳細に説明する。
【００２３】
図１には、一実施形態にかかるネットワークシステム１００の概略構成が示されている。このネットワークシステム１００は、イントラネット１０に接続された仮想アプリケーションサーバ１４、プレゼン用端末１６、記録・配信サーバ２２、及びインターネット５０に接続された閲覧端末６０を備えている。イントラネット１０は、例えば企業内ネットワークとして設定され、例えば、アドレス識別処理による通信制御を実行する機能を有するセキュリティゲートウェイ２４により、外部との通信が制限されている。
【００２４】
仮想アプリケーションサーバ１４は、例えばＣＰＵ、ハードディスク（記憶装置）、出力部としてのディスプレイ及び入力部としての入力インタフェース（キーボードやマウスを含む、以下「入力Ｉ／Ｆ」と呼ぶものとする）を備えた公知のサーバコンピュータシステムを含んで構成されるものであり、各種アプリケーション（例えば、プレゼンテーションソフトや、表計算ソフト、文書入力ソフトなど）がインストールされている。この仮想アプリケーションサーバ１４は、クライアントＰＣであるプレゼン用端末１６を介したユーザの指令に基づいて、各ユーザに対して仮想デスクトップを提供するものである。プレゼン用端末１６では、イントラネット１０を介して仮想アプリケーションサーバ１４上のコンピュータリソース（ＭＰＵ，メモリ、ハードディスク記憶装置）を使用する。また、プレゼン用端末１６側からのユーザの入力が、仮想アプリケーションサーバ１４に送信されると、仮想アプリケーションサーバ１４は、その入力に応じた画面情報をプレゼン用端末１６に送信する。そして、プレゼン用端末１６は、その画面情報をディスプレイ上に映し出す。この技術は、一般に、Thin Clientと呼ばれている。このようなThin Clientでは、アプリケーションを実行する際に、そのほとんどの処理をサーバ側に行わせるため、ユーザが扱うクライアントＰＣ（プレゼン用端末１６）には必要最小限の処理を行わせるのみで良い。したがって、プレゼン用端末１６として高性能な装置を用意する必要がない。
【００２５】
このようなThin Client技術を実現するためには、例えば、Citrix （登録商標）Meta Frameを用いたり、Windows（登録商標）のアプリケーションである「Windows （登録商標）Terminal Server」（サーバ側）と「Remote Desktop」（クライアント側）を用いたり、ネットワーク上の離れたコンピュータを遠隔操作するためのソフトである「ＶＮＣ（Virtual Network Computing）」などを用いたりすることができる。
【００２６】
プレゼン用端末１６には、マイクロフォン接続端子を介して、マイクロフォン２０が接続されるとともに、ＶＧＡケーブルを介して、プロジェクタ１８が接続されている。ユーザは、プレゼンテーションや講演を行う際に、プロジェクタ１８を用いて、スクリーン（不図示）上にアプリケーションの起動状態を映し出しつつ、プレゼン用端末１６の入力Ｉ／Ｆを操作しながら、マイクロフォン２０に向けて音声を入力することが可能である。このプレゼン用端末１６から仮想アプリケーションサーバ１４へは、図２に示されるように、ユーザログイン情報やユーザＩ／Ｆ入力情報、音声データが送信され、仮想アプリケーションサーバ１４からプレゼン用端末１６へは、画面更新情報（入力Ｉ／Ｆの操作に応じて更新された画面の情報）が送信されるようになっている。
【００２７】
これについて更に詳述すると、プレゼン用端末１６は、図３に示されるように、サンプリング・Ａ／Ｄ変換部３２と、音声圧縮部３４と、画面表示部３６と、を備えている（なお、図３では、ログイン情報の送信に関する部分の図示を省略している）。このうち、サンプリング・Ａ／Ｄ変換部３２は、サウンドカードから成り、マイクロフォン２０から入力される音声を所定のサンプリングレートでサンプリングして、Ａ／Ｄ変換するものである。また、音声圧縮部３４は、Ａ／Ｄ変換された音声データ（デジタルデータ）を、例えばｍｐ３などのフォーマットで圧縮して、仮想アプリケーションサーバ１４に送信するためのものである。また、画像表示部３６は、キーボードやマウスなどの入力Ｉ／Ｆからの入力情報を仮想アプリケーションサーバ１４に送信するとともに、この入力情報に応じた画像更新情報を仮想アプリケーションサーバ１４側から受け取り、その画像更新情報に応じた画像を、プレゼン用端末１６のディスプレイや、プロジェクタ１８（スクリーン）に映し出すものである。
【００２８】
図１に戻り、記録・配信サーバ２２は、イントラネット１０を介して、仮想アプリケーションサーバ１４からデータを取得し、記憶するデータベースと、そのデータベースに記憶されたデータを配信するサーバとを含んでいる。この記録・配信サーバ２２は、図２に具体的に示されるように、仮想アプリケーションサーバ１４から、ユーザのログイン情報、ユーザＩ／Ｆ入力情報、画面情報、使用アプリケーション情報、使用電子文書、文字・画像・動画・音声などのデータを取得し、記憶する。
【００２９】
ここで、ユーザがプレゼンテーションや講演を行う際の、仮想アプリケーションサーバ１４の処理について、図４に基づいて説明する。
【００３０】
まず、ユーザが、プレゼン用端末１６にインストールされているユーザ認証用のソフトウェアを起動し、このソフトウェアの要求するログインＩＤやパスワードなどのユーザ情報を入力すると、仮想アプリケーションサーバ１４では、図４のステップＳ１０においてユーザ認証を実行する。
【００３１】
次いで、ステップＳ１２では、仮想アプリケーションサーバ１４が、認証されたユーザに対応する仮想デスクトップを作成する。この仮想デスクトップは、仮想アプリケーションサーバ１４内で作成されるが、その仮想デスクトップの画面情報は、プレゼン用端末１６のディスプレイや、プロジェクタ１８（スクリーン）に映し出される。
【００３２】
次いで、ステップＳ１４では、仮想アプリケーションサーバ１４による、情報抽出サブルーチンが行われる。
【００３３】
この情報抽出サブルーチンの前提として、本実施形態の仮想アプリケーションサーバ１４は、図５に示されるように、仮想デスクトップにおいて発生したメッセージ（ユーザの操作情報（マウスの操作、ウィンドウの終了、キー入力、タイマーなど））を、発生順に保存しておく一種のバッファであるメッセージキューを有している。このメッセージキューに保存された（キューイングされた）メッセージは、古い順に取り出され、順に処理される（先入れ先出し処理）。
【００３４】
まず、図６のステップＳ３０において、メッセージキューのうちの最も古いメッセージが取得される。次いで、ステップＳ３２では、ステップＳ３０において取得されたメッセージが、ユーザＩ／Ｆ情報であるか否かが判断される。この場合のユーザＩ／Ｆ情報には、キーボードなどのキー入力情報や、マウスのクリック情報などが含まれる。ここでの判断が肯定されると、ステップＳ３４において、そのユーザＩ／Ｆ情報（時刻と操作内容）が記録・配信サーバ２２に送信され、その後、ステップＳ３５において、ユーザＩ／Ｆの操作内容が、仮想デスクトップ上に反映される。
【００３５】
一方、ステップＳ３２における判断が否定された場合には、ステップＳ３６に移行する。このステップＳ３６では、メッセージがアプリケーション関連情報（ここでは、アプリケーションの起動情報、終了情報、文書保存情報、削除情報）か否かが判断される。ここでの判断が否定されると、図４のステップＳ１８に移行するが、判断が肯定された場合には、ステップＳ３８に移行して、アプリケーション関連情報（アプリケーションの起動、終了、ファイルオープン、保存、削除、ファイルクローズ、移動などのイベント情報）を、アプリケーション名、日時、操作内容、アクセスされた電子文書等とともに、記録・配信サーバ２２に送信する。そして、ステップＳ４０に移行して、実行中のアプリケーションに操作内容を通知し、図４のステップＳ１８に戻る。
【００３６】
図４のステップＳ１８では、画面の変化、すなわち、アプリケーションウィンドウの最小化や最大化、リサイズ、移動、プレゼンテーションソフトなどのページめくりなどが行われることにより、画面の更新（変化）が検出されたか否かが判断される。この場合、画面中の何％程度が変更されたかを求め、その割合が所定の閾値を越えているか否かの判断により、画面の更新を判断することができる。ここでの判断が肯定された場合には、ステップＳ２０において、音声の録音の停止及び更新（変化）後の画面用の音声録音の開始が実行される。
【００３７】
また、次のステップＳ２２では、更新前の画面に対応する音声が、図３のサンプリング・Ａ／Ｄ変換部３２においてＡ／Ｄ変換されるとともに、音声圧縮部３４にてｍｐ３等のフォーマットで圧縮され、ステップＳ２４において、記録・配信サーバ２２に送信される。また、更新前の画面も記録・配信サーバ２２に送信される。なお、上記のように、画面が更新されるまで音声データを送信せずに、画面の更新があった段階ではじめて音声データを送信するような場合に限らず、録音と同時にリアルタイムで圧縮し、その圧縮された形式で音声を保存するようなシーケンスを採用しても良い。また、仮想アプリケーションサーバ１４では、記録・配信サーバ２２への音声データの送信とともに、更新画面をキャプチャして、ＪＰＥＧなどのフォーマットで圧縮したデータも、記録・配信サーバ２２に送信する。
【００３８】
次いで、ステップＳ２６では、メッセージキューに次のメッセージが蓄積されているか否かが判断され、メッセージが蓄積されている場合には、ステップＳ１４に戻り、ステップＳ１４〜Ｓ２４までの処理を再度繰り返す。なお、ステップＳ１８における判断が否定された場合には、ステップＳ２０〜Ｓ２４を経ずに、ステップＳ２６に移行する。
【００３９】
その後、メッセージキューにメッセージが無くなった段階で、ステップＳ２６の判断が否定され、ステップＳ２８において、終了処理（最終の画面更新後に録音された音声データの処理など）が行われることにより、図４の全ての処理が完了する。
【００４０】
このような工程を経ることにより、記録・配信サーバ２２には、一定の時間表示された画面情報が順に記憶されるとともに、その画面を表示していた間に録音された音声、その画面のキャプチャ画像、使用アプリケーション情報、使用電子文書情報、画面内で表示した文字情報、使用しているユーザ情報などが、画面情報に対応付けて記憶されることになる。以下、これらの情報の集合を、「データ集合」と呼ぶものとする。
【００４１】
図１に戻り、前述のように、イントラネット１０は、セキュリティゲートウェイ２４を介して、インターネット５０に接続されている。インターネット５０上の閲覧端末６０（閲覧端末６０は、実際には、個人が所有するパソコンなどである）は、例えば、ウェブブラウザにより、記録・配信サーバ２２に記憶されているデータ集合にアクセスすることが可能となっている。
【００４２】
図７には、閲覧端末６０と記録・配信サーバ２２との間でやり取りされる情報の種類が示されている。この図７に示されるように、閲覧端末６０のユーザが、検索問い合わせ情報を送信すると、記録・配信サーバ２２では、ユーザ（閲覧端末６０）に対してその検索問い合わせに対する検索結果を送信する。この場合、前述したように、データ集合には、「画面内で表示した文字情報」が含まれていることから、閲覧端末６０のユーザは、その文字情報の中に含まれる単語を検索することが可能である。また、閲覧端末６０のユーザは、画面情報のキャプチャ画像（サムネイル）に基づいて、データ集合の選択を行うことも可能である。このように、閲覧端末６０のユーザは、好きな時間に、プレゼンテーションや講演の閲覧したい部分のみを検索し、閲覧することが可能である。
【００４３】
以上、詳細に説明したように、本実施形態によると、プレゼン用端末１６の入力Ｉ／Ｆからの指令に応じて、仮想アプリケーションサーバ１４にて実行されるアプリケーションが、プレゼン用端末１６の出力部（ディスプレイやプロジェクタ）に表示されるとともに、出力部の画面情報を、記録・配信サーバ２２が直接仮想アプリケーションサーバ１４から読み出して記憶するので、ビデオスプリッタや、ＶＧＡキャプチャカードなどのハードウェアを用いることなく、出力部の画面情報を記憶することができる。
【００４４】
また、本実施形態によると、仮想アプリケーションサーバ１４は、プレゼン用端末１６の出力部に対し、入力Ｉ／Ｆからの指令に応じた画面の更新情報を送るため、ユーザは、画面の更新情報を見ながら、インタラクティブにアプリケーションを操作することが可能である。
【００４５】
また、本実施形態によると、記憶・配信サーバ２２は、講演やプレゼンテーションにおいて講演者等が表示させた画面と、その画面が表示されていたときに発した音声とを関連付けて記憶するため、後からこれらの情報にアクセスした場合であっても、実際に行われた講演等と同じものを視聴することができる。
【００４６】
また、本実施形態によると、仮想アプリケーションサーバ１４が、更新された画面情報と、その画面状態をキャプチャした画像とを関連付けて記録・配信サーバ２２に送信するので、ユーザは、キャプチャした画像（サムネイル）に基づいて、情報にアクセスすることとすることで、情報に対して容易にアクセスすることが可能である。また、仮想アプリケーションサーバ１４は、ユーザが、プレゼン用端末１６が接続される際に、ユーザのログイン情報の入力を要求し、記録・配信サーバ２２は、画面情報をログイン情報と関連付けて記憶するため、画面情報をユーザごとに管理することができる。これにより、ユーザを基準としたデータ検索を行うことが可能である。
【００４７】
また、本実施形態では、記録・配信サーバ２２が、出力部の画面情報に含まれる文字情報を、仮想アプリケーションサーバ１４から直接取得して記憶するため、従来のように、キャプチャした画像ファイルからＯＣＲ（Optical Character Reader）などを用いて文字情報を取得するよりも、正確に、文字情報の取得を行うことが可能である。また、閲覧端末６０から、記憶・配信サーバ２２内の文字情報を検索することにより、画面情報の内容を簡易に検索することができる。
【００４８】
なお、上記実施形態では、イントラネット１０上にプレゼン用端末１６が１つ設けられ、仮想アプリケーションサーバ１４では、それに対応した単一の仮想デスクトップを作成する場合について説明したが、これに限られるものではなく、イントラネット１０上にプレゼン用端末を複数用意し、仮想アプリケーションサーバ１４上で、複数の仮想デスクトップを作成するような構成を採用することとしても良い。この場合、Ｘｅｎのようなコンピュータの仮想化技術と、Intel（登録商標）のバーチャルテクノロジ対応のＣＰＵとを用いて、１台のサーバ上で、同時に複数のオペレーションシステム（ＯＳ）を動作させることにより、複数の仮想デスクトップを作成することとしても良い。また、例えば、遠隔地間での会議において、遠隔地にいる複数のユーザが仮想アプリケーションサーバ１４にアクセスし、各ユーザに対して仮想アプリケーションサーバ１４が仮想デスクトップを作成し、それらの仮想デスクトップそれぞれにおいて収集された情報を、記録・配信サーバ２２に送信することも可能である。また、記録・配信サーバ２２は、これら複数のユーザのデータを関連付けて、記録することも可能である。
【００４９】
なお、プレゼン用端末１６は、イントラネット１０上に限らず、インターネット５０上に配置されていても良い。この場合、仮想アプリケーションサーバ１４に対して、接続用のソフトウェアを用いて接続することも可能であるが、例えば、ウェブブラウザなどによりアクセスすることとすることもできる。
【００５０】
なお、上記実施形態では、閲覧端末６０がインターネット５０上に配置されている場合について説明したが、イントラネット１０上に配置されていても良い。
【００５１】
上述した実施形態は本発明の好適な実施の例である。但し、これに限定されるものではなく、本発明の要旨を逸脱しない範囲内において種々変形実施可能である。
【図面の簡単な説明】
【００５２】
【図１】一実施形態に係るネットワークシステムの構成を示す図である。
【図２】プレゼン用端末、仮想アプリケーションサーバ、記録・配信サーバ相互間の情報のやり取りを示す図である。
【図３】プレゼン用端末の内部構成を示すブロック図である。
【図４】仮想アプリケーションサーバの一連の処理を示すフローチャートである。
【図５】メッセージキューの概要を示す図である。
【図６】図４のステップＳ１４（情報抽出サブルーチン）の処理を示すフローチャートである。
【図７】閲覧端末と記録・配信サーバとの間の情報のやり取りを示す図である。
【符号の説明】
【００５３】
１４  仮想アプリケーションサーバ
１６  プレゼン用端末
２０  マイク
２２  記録・配信サーバ
２４  セキュリティゲートウェイ
６０  閲覧端末
１００  ネットワークシステム
【図１】
2009026096.tif 000003
【図２】
2009026096.tif 000004
【図３】
2009026096.tif 000005
【図４】
2009026096.tif 000006
【図５】
2009026096.tif 000007
【図６】
2009026096.tif 000008
【図７】
2009026096.tif 000009